(57)【特許請求の範囲】
【請求項１】
広告を再生することの契約を結んだ登録ユーザの携帯電話機を媒体として広告を行い、広告再生を行った前記携帯電話機において生じている通信会社に支払うべき通話料金の一部を前記登録ユーザに代わって負担する広告システムであって、
広告データを保存する広告データベースと、
前記登録ユーザに関する登録データを保存するユーザ・データベースと、
発信者である相手電話機からの着信を受けて起動し一定時間に広告再生を行う広告再生用アプリケーション・プログラムと、前記広告データベースに保存されている広告データとを、前記登録ユーザの携帯電話機にダウンロードさせて保存させるとともに、当該保存させた広告再生用アプリケーション・プログラムによって、当該保存させた広告データに基づく広告再生が行われると、前記通信会社から連絡される所定期間毎の前記登録ユーザの携帯電話機における着信回数に基づいて前記負担額を算定する広告サーバと、
を備え、
前記登録ユーザの携帯電話機が、前記相手電話機からの着信を受けて起動する前記アプリケーション・プログラムによって前記広告データに基づく広告再生を前記一定時間行った後、前記相手電話との通話接続を開始させること、
を特徴とする広告システム。
【請求項２】
前記広告データは、コマーシャル・ソングを再生するための着信メロディ・データであること、
を特徴とする請求項１に記載の広告システム。
【請求項３】
広告を再生することの契約を結んだ登録ユーザの携帯電話機を媒体として広告を行い、広告再生を行った前記携帯電話機において生じている通信会社に支払うべき通話料金の一部を前記登録ユーザに代わって負担する広告システムであって、
広告データを保存する広告データベースと、
前記登録ユーザの携帯電話機から相手先電話機への通話希望の通知を受けて、前記登録ユーザの携帯電話機に対して前記広告データベースに保存されている広告データに基づく広告再生を一定時間行わせた後、前記相手先電話機との通話に切り替え接続し、前記相手先電話機との通話によって発生する前記登録ユーザの携帯電話機における通話料金に対して前記登録ユーザに代わって負担する負担額を算定する広告サーバと、
を備えることを特徴とする広告システム。
【請求項４】
前記広告サーバによって算定された前記負担額を示すデータを記録する料金データベースをさらに備えること、
を特徴とする請求項１〜３のいずれか１項に記載の広告システム。
【請求項５】
広告データを保存する広告データベースと、広告を再生することの契約を結んだ登録ユーザに関する登録データを保存するユーザ・データベースとを備え、前記登録ユーザの携帯電話機を媒体として前記広告データに基づく広告を行い、広告再生を行った前記携帯電話機において生じている通信会社に支払うべき通話料金の一部を前記登録ユーザに代わって負担する広告システム、における広告方法であって、
発信者である相手電話機からの着信を受けて起動し一定時間に広告再生を行う広告再生用アプリケーション・プログラムと、前記広告データベースに保存されている広告データとを、前記登録ユーザの携帯電話機にダウンロードさせて保存させる工程と、
前記登録ユーザの携帯電話機が前記相手電話機からの着信を受けると、前記登録ユーザの携帯電話機に、前記ダウンロードさせて保存させた前記アプリケーション・プログラムを起動させて、前記ダウンロードさせて保存させた広告データに基づく広告再生を前記一定時間行なわせた後、前記相手電話との通話を開始させる工程と、
前記通信会社から連絡される所定期間毎の前記登録ユーザの携帯電話機における着信回数に基づいて前記負担額を算定する工程と、
を有すること特徴とする広告方法。
【請求項６】
広告データを保存する広告データベースを備え、広告を再生することの契約を結んだ登録ユーザの携帯電話機を媒体として前記広告データに基づく広告を行い、広告再生を行った前記携帯電話機において生じている通信会社に支払うべき通話料金の一部を前記登録ユーザに代わって負担する広告システム、における広告方法であって、
前記登録ユーザの携帯電話機から相手先電話機への通話希望の通知を受けて、前記登録ユーザの携帯電話機に対して前記広告データベースに保存されている広告データに基づく広告再生を一定時間行わせた後、前記相手先電話機との通話に切り替え接続する工程と、
前記相手先電話機との通話によって発生する前記登録ユーザの携帯電話機における通話料金に対して前記登録ユーザに代わって負担する負担額を算定する工程と、
を備えることを特徴とする広告方法。
【発明の詳細な説明】
【０００１】
【発明の属する技術分野】
この発明は、携帯電話機を介して広告を行うためのシステムおよび方法に関する。
【０００２】
【発明が解決しようとする課題】
近年の携帯電話機の急速な普及によって、この携帯電話機が日常生活の必需品になって来ているが、この携帯電話機による通話料金は一般電話機に比べて高額であり、ユーザにとってその経済的な負担は可成り大きなものである。
【０００３】
一方、通信媒体である携帯電話機はテレビジョン受像器などと同様に広告媒体としての利用価値が高く、上述したような近年の急速な普及によって、これまで、この携帯電話機の広告媒体としての様々な利用方法が模索されてきている。
【０００４】
しかしながら、このような携帯電話機を媒体とした広告はユーザ側にとってそのメリットが少なく、このため、携帯電話機を介して展開される広告のユーザによる利用度を高めることが難しいという問題がある。
【０００５】
この発明は、上記のような携帯電話機を広告媒体として利用する際の問題点を解決するために為されたものである。
すなわち、この発明は、携帯電話機の広告媒体としての利用度を高めることが出来る携帯電話機による広告システムを提供することを第１の目的としている。
【０００６】
さらに、この発明は、携帯電話機の広告媒体としての利用度を高めることが出来る携帯電話機による広告方法を提供することを第２の目的としている。
【０００７】
【課題を解決するための手段】
請求項１に記載の発明は、広告を再生することの契約を結んだ登録ユーザの携帯電話機を媒体として広告を行い、広告再生を行った前記携帯電話機において生じている通信会社に支払うべき通話料金の一部を前記登録ユーザに代わって負担する広告システムであって、広告データを保存する広告データベースと、前記登録ユーザに関する登録データを保存するユーザ・データベースと、発信者である相手電話機からの着信を受けて起動し一定時間に広告再生を行う広告再生用アプリケーション・プログラムと、前記広告データベースに保存されている広告データとを、前記登録ユーザの携帯電話機にダウンロードさせて保存させるとともに、当該保存させた広告再生用アプリケーション・プログラムによって、当該保存させた広告データに基づく広告再生が行われると、前記通信会社から連絡される所定期間毎の前記登録ユーザの携帯電話機における着信回数に基づいて前記負担額を算定する広告サーバと、を備え、前記登録ユーザの携帯電話機が、前記相手電話機からの着信を受けて起動する前記アプリケーション・プログラムによって前記広告データに基づく広告再生を前記一定時間行った後、前記相手電話との通話接続を開始させること、を特徴としている。
【０００８】
この請求項１に記載の発明による広告システムは、広告会社が広告主との間で携帯電話機による広告契約などを結ぶと、広告会社は、その広告主の広告データを広告データベースに保存する。
【０００９】
また、この広告システムを利用しようとする携帯電話機のユーザは、広告会社に登録を行い、広告会社は、そのユーザの登録データをユーザ・データベースに保存し、さらに、この登録を行ったユーザの携帯電話機に対して広告サーバが、広告データベースに保存されている広告データを送信して、この広告データを携帯電話機に保存させる。
【００１０】
この後、広告データを保存している携帯電話に着信があると、この携帯電話機において広告データに基づいて広告の再生が行われる。
【００１１】
広告サーバは、上記のようにして広告データを保存して着信毎に広告の再生を行う携帯電話において発生する通話料金のうち、広告会社が負担する金額を、例えばその携帯電話機における広告の再生回数などを基準にして算定する。
【００１２】
そして、広告会社はこの広告サーバによって算定された負担額分の支払いを、ユーザに代わって通信会社に行う。
【００１３】
以上のように、請求項１に記載の発明によれば、携帯電話機のユーザは、その携帯電話機において広告の再生を行うことによって通信会社に支払う通話料金の負担が軽減されるので、携帯電話機の広告媒体としての使用が促進されるようになる。
【００２０】
請求項３に記載の発明は、広告を再生ことの契約を結んだ登録ユーザの携帯電話機を媒体として広告を行い、広告再生を行った前記携帯電話機において生じている通信会社に支払うべき通話料金の一部を前記登録ユーザに代わって負担する広告システムであって、広告データを保存する広告データベースと、前記登録ユーザの携帯電話機から相手先電話機への通話希望の通知を受けて、前記登録ユーザの携帯電話機に対して前記広告データベースに保存されている広告データに基づく広告再生を一定時間行わせた後、前記相手先電話機との通話に切り替え接続し、前記相手先電話機との通話によって発生する前記登録ユーザの携帯電話機における通話料金に対して前記登録ユーザに代わって負担する負担額を算定する広告サーバと、を備えることを特徴としている。
【００２１】
請求項３に記載の発明による広告システムは、広告会社が広告主との間で携帯電話機による広告契約などを結ぶと、広告会社は、その広告主の広告データを広告データベースに保存する。
【００２２】
この広告システムを利用しようとする携帯電話機のユーザは、通話を行う相手先の電話機に接続を行うとする場合に、広告会社の広告サーバに接続を行うと、広告サーバは、その接続を行ってきた携帯電話機に対して、広告データベースに保存されている広告データに基づいて広告の再生を行い、この広告の再生後、携帯電話機において入力されるユーザが通話を希望する相手先の電話番号に基づいて、携帯電話機をその相手先の電話機に切り替えて接続させる。
【００２３】
そして、広告サーバは、上記のようにして広告の再生を行った携帯電話において相手先との通話によって発生した通話料金のうち、広告会社が負担する金額を算定し、広告会社はこの広告サーバによって算定された負担額分の支払いを、ユーザに代わって通信会社に行う。
【００２４】
以上のように、請求項３に記載の発明によれば、携帯電話機のユーザは、希望する相手先の電話機との接続が行われる前に再生される広告を聞くことによって通信会社に支払う通話料金の負担が軽減されるので、これにより、携帯電話機の広告媒体としての使用が促進されるようになる。
【００３６】
【発明の実施の形態】
以下、この発明の最も好適と思われる実施の形態について、図面を参照しながら詳細に説明を行う。
【００３７】
図１は、この発明による携帯電話機による広告システムの実施形態における一例を示すシステム構成図である。
【００３８】
この図１において、携帯電話機Ｔを媒体として広告を行う広告会社１は、移動体通信網を介して携帯電話機の接続を行う通信会社２および携帯電話機Ｔとの間で行われる後述するようなデータの送受信を統括制御する広告サーバ１Ａと、広告データが保存される広告データベース１Ｂａと、広告会社１と広告の利用契約を結んだユーザに関するデータが保存されるユーザ・データベース１Ｂｂと、このユーザ・データベース１Ｂｂに登録されたユーザの広告の利用状況に応じて後述するように広告会社１から通信会社２に支払われる通信料金の負担額に関するデータが記録される料金データベース１Ｂｃとを備えている。
【００３９】
この広告会社１は、後述するように、登録を行っているユーザに対して、携帯電話機Ｔによる通話時に広告主３の広告を聞くことを条件に、通話料金のうちの所定の金額を登録ユーザに代わって通信会社２に支払うサービスを行う。
【００４０】
すなわち、この広告システムにおいて、広告会社１は、携帯電話機Ｔを媒体として広告を行おうとする広告主３との広告契約ａを行い、この広告主３との契約に基づいて、広告主３に関する広告データを広告データベース１Ｂａに保存する。
【００４１】
この広告データは、例えば、コマーシャル・ソングを携帯電話機Ｔの着信メロディに編集したものや、携帯電話機Ｔにおいて着信があると通話の開始前にアプリケーション・プログラムによって、一定時間、広告を再生するものなどがある。
【００４２】
さらに、広告会社１は、この広告会社１からのサービスの利用を希望するユーザ（携帯電話機Ｔの所有者）の登録ｂを行い、そのユーザの氏名およびサービス対象の携帯電話機Ｔの電話番号などのユーザ・データをユーザ・データベース１Ｂｂに登録する。
【００４３】
この広告会社１に登録されたユーザは、広告会社１との契約に基づいて、コマーシャル・ソングによって編集された着信メロディや携帯電話機Ｔにおいて広告を再生するためのアプリケーション・プログラムをダウンロードすることが義務付けられていて、ユーザは、広告会社１への登録を行っても、広告会社１からコマーシャル・ソングを再生する着信メロディ・データや広告再生用のアプリケーションプログラム・データをダウンロードしなければ、広告会社１による通話料金支払いサービスの提供をうけることが出来ない。
【００４４】
広告会社１の広告サーバ１Ａは、ユーザ・データベース１Ｂｂに登録されているユーザからの要求に基づいて、広告データベース１Ｂａに保存されている着信メロディ・データまたはアプリケーションプログラム・データを、図示しない移動体通信網を介して接続されている携帯電話機Ｔにダウンロードｃさせる。
【００４５】
そして、ユーザの携帯電話機Ｔは、この広告サーバ１Ａから送信されてくる着信メロディ・データおよびアプリケーションプログラム・データを、搭載しているメモリに保存する。
【００４６】
この着信メロディ・データは、携帯電話機Ｔへの着信ｄに基づいて広告主３のコマーシャルソングを再生するものであり、また、アプリケーションプログラム・データは、携帯電話機Ｔへの着信ｄが有ると、広告主３のコマーシャルを一定時間再生した後に発信者との通話を可能にするよう動作する。
【００４７】
広告会社１は、上記のようなユーザとの契約および携帯電話機Ｔへの着信メロディ・データやアプリケーションプログラム・データの送信が完了した後、そのユーザに対して通話料金支払いサービスの提供を開始する。
【００４８】
この広告会社１による通話料金支払いサービスは、以下のような手順で行われる。
【００４９】
すなわち、広告サーバ１Ａは、通信会社２との契約ｅに基づいてこの通信会社２から所定期間ごと（例えば、月ごと）に送信されてくる登録ユーザの携帯電話機Ｔへの着信の回数を示すデータの連絡ｆを受信し、この受信した着信回数データに基づいて、ユーザの携帯電話機Ｔにおいて発生した通話料金のうち広告会社１が負担する金額を算定して、その算定金額を料金データベース１Ｂｃに記録する。
【００５０】
この携帯電話機Ｔの通話料金のうち広告会社１が負担する金額の広告サーバ１Ａによる算定は、例えば、携帯電話機Ｔからの発信によって発生した通話料金のうち、携帯電話機Ｔにおける着信回数に対応した割合で算定され、例えば、携帯電話機Ｔにおける着信回数が所定回数以下の場合には通話料金の１０パーセント，所定回数以上の場合には２０パーセントなどといった基準によって算定される。
【００５１】
そして、所定の期日に、広告会社１から通信会社２に対して料金データベース１Ｂｃの記録に基づいて支払いｇが行われ、ユーザに対しては、この支払われた金額と携帯電話機Ｔにおいて発生した通話料金との差額が通信会社２から請求される。
【００５２】
このようにして、広告会社１に登録を行ったユーザは、携帯電話機Ｔへの着信時に携帯電話機Ｔにおいて再生される広告主３の広告を聞くことを条件に、この携帯電話機Ｔについて発生した通話料金の一部が広告会社１によって通信会社２に支払われるので、携帯電話機Ｔの通話料金の支払いに伴う経済的負担が軽減される。
【００５３】
そして、広告主３も、広く普及している携帯電話機Ｔを媒体として広告を行うことによって大きな広告効果を得ることが出来るとともに、町中で携帯される携帯電話機Ｔからコマーシャルソングなどが流れることによって、大きな広告効果を期待することが出来る。
【００５４】
図２は、この発明による携帯電話機による広告システムの実施形態における他の例を示すシステム構成図である。
【００５５】
この図２において、広告会社１０は、移動体通信網を介して接続してきた携帯電話機Ｔに対する広告の再生、および、この携帯電話機Ｔの所望の相手先への接続，携帯電話機Ｔの通話料金に対する負担金額の算定を行う広告サーバ１０Ａと、広告データが蓄積される広告データベース１０Ｂａと、広告会社１０が負担する通信料金に関するデータが記録される料金データベース１０Ｂｂとを備えている。
【００５６】
広告会社１０は、後述するように、この広告会社１０を経由して相手先に接続を行おうとする携帯電話機Ｔにおいてその通話により発生する通話料金の一部を、広告会社１０と広告契約を行っている広告主３の広告を聞くことを条件に、負担するサービスを行う。
【００５７】
すなわち、この広告システムにおいて、広告会社１０は、携帯電話機Ｔを媒体として広告を行おうとする広告主３と広告契約ｈを結び、この広告主３との契約に基づいて、広告主３に関する広告データを広告データベース１０Ｂａに登録する。
【００５８】
この広告データは、例えば、広告サーバ１Ａに接続してきた携帯電話機Ｔにおいて、一定時間、コマーシャル・ソングなどの広告を再生するものである。
【００５９】
この広告会社１０による通話料金支払いサービスは、以下のような手順で行われる。
【００６０】
すなわち、携帯電話機Ｔから広告会社１０による通話料金支払いサービスを利用して相手先との通話を行おうとするユーザは、先ず、携帯電話機Ｔから広告会社１０の広告サーバ１０Ａに接続ｉを行い、その接続後、通話を希望している相手先の電話番号の入力を行う。
【００６１】
この携帯電話機Ｔから広告サーバ１０Ａへの接続は、「発信者番号通知」によって行われる。
【００６２】
広告サーバ１０Ａは、この携帯電話機Ｔからの接続があると、広告データベース１０Ｂａに登録されている広告データを読み出し、この読み出した広告データに基づいて、一定時間、携帯電話機Ｔに対して広告主３の広告を再生する。
【００６３】
そして、広告サーバ１０Ａは、この広告の再生が終了すると、携帯電話機Ｔから送信されてきた電話番号データに基づいてリダイレクトｊすることにより、携帯電話機Ｔを通信会社２を介して目的の相手先の電話機Ｔ’に接続ｋして、通話を可能にする。
【００６４】
このとき、広告サーバ１０Ａは、「発信者番号通知」によって示される携帯電話機Ｔの電話番号を料金データベース１０Ｂｂに記録する。
【００６５】
そして、広告サーバ１０Ａは、広告会社１０を介して相手先の電話機Ｔ’との接続を行った携帯電話機Ｔにおける通話終了後に、通信会社２からその通話料金を示すデータｌを通信会社２から受信して、この通話料金データに基づいて通話料金のうちの広告会社１０が負担する金額を算出し、その算定金額を、料金データベース１０Ｂｂに、携帯電話機Ｔの電話番号に対応させて記録する。
【００６６】
そして、所定の期日に、広告会社１０から通信会社２に対して料金データベース１０Ｂｂに記録された算定金額の支払いｍが行われ、ユーザに対しては、この支払われた金額と携帯電話機Ｔにおいて発生した通話料金との差額が通信会社２から請求される。
【００６７】
このようにして、携帯電話機Ｔのユーザは、広告会社１０を介して相手先との接続を行うことにより、相手先との通話を行う前に広告主３の広告を聞くことを条件に、この携帯電話機Ｔについて発生した通話料金の一部が広告会社１０によって通信会社２に支払われるので、携帯電話機Ｔの通話料金の支払いに伴う経済的負担が軽減されるとともに、広告主３も携帯電話機Ｔを媒体とした広告効果を得ることが出来るようになる。
【００６８】
そして、この例における広告システムは、あらかじめ広告会社１０に対する登録手続きが不要で、ユーザにとって手軽な利用が可能になる。
【００６９】
なお、上記各例における広告システムは、広告に限らず、例えば各種情報を携帯電話機Ｔのユーザに提供する場合にも、適用することが可能である。
【図面の簡単な説明】
【図１】この発明の実施形態の一例を示すシステム構成図である。
【図２】この発明の実施形態の他の例を示すシステム構成図である。
【符号の説明】
１，１０          …広告会社
１Ａ，１０Ａ      …広告サーバ
１Ｂａ，１０Ｂａ  …広告データベース
１Ｂｂ            …ユーザ・データベース
１Ｂｃ，１０Ｂｂ  …料金データベース
２                …通信会社
３                …広告主
Ｔ                …携帯電話機
Ｔ’              …電話機
【図１】
0004139115.tif 000002
【図２】
0004139115.tif 000003